(57)【要約】【課題】便器やその周囲を汚すことなく、快適に排便、排尿できるようにする。【解決手段】便器本体２１の上端縁部に囲まれた開口面２１ａを、その横幅が前端から後端までほぼ一様で前後方向に長い略長方形状に形成し、その横幅を２５ｃｍ〜３５ｃｍの範囲、前後方向の長さを４５ｃｍ〜５５ｃｍの範囲に設定するとともに、便座４４の穴４５の横幅を２０ｃｍ〜３０ｃｍの範囲、前後方向の長さを４０ｃｍ〜５０ｃｍの範囲に設定した。【選択図】　　　　図１
2004036319.tif 000002
【特許請求の範囲】
【請求項１】
腰掛け可能な高さを有し、上端縁部に囲まれた開口面から大小便を内部に受け入れて排出する便器本体と、
前記便器本体に支持され、該便器本体の上端縁部に重なり合う枠状に形成され、前記開口面を囲む上端縁部に重なり合う位置に移動可能な便座とを有する着座式便器において、
前記便器本体の前記上端縁部に囲まれた開口面を、その横幅が前端から後端までほぼ一様で前後方向に長い略長方形状に形成したことを特徴とする着座式便器。
【請求項２】
前記便器本体の開口面の横幅が２５ｃｍ〜３５ｃｍの範囲で、前後方向の長さが４５ｃｍ〜５５ｃｍの範囲であることを特徴とする請求項１記載の着座式便器。
【請求項３】
前記便座の穴の横幅が２０ｃｍ〜３０ｃｍの範囲で、前後方向の長さが４０ｃｍ〜５０ｃｍの範囲であることを特徴とする請求項２記載の着座式便器。
【発明の詳細な説明】
【０００１】
【発明の属する技術分野】
本発明は、大小便兼用の着座式便器において、用便が容易に行なえ、汚れを少なくするための技術に関する。
【０００２】
【従来の技術】
住宅用等の便器として、水洗型の着座式便器（洋式便器）が普及している。
水洗型の着座式便器は、大小便を上部開口面から受け入れて洗浄水とともに排出する便器本体と、大便をするときに便器本体の上端側縁部に重なるように倒し、立ち姿勢で小便をするときにはね上げて使用する便座とを有しており、近年では、便座に尻洗浄器（乾燥機能付きの場合もある）が設けられたものが多い。
【０００３】
図１４、図１５は、従来の水洗着座式便器１０を示すものであり、トイレ室内の床面等に設置される便器本体１１は、上部が開口された漏斗状に形成され、その上端縁部１１ａは前後に長い略楕円形に沿って連続するように形成され、上端縁部１１ａに囲まれた開口面１２も略楕円形になっている。この開口面１２の横幅Ｗａは最も広い中央の位置で２５ｃｍ前後、前後方向の長さＬａは最長部で３５ｃｍ前後である。
【０００４】
便器本体１１の上端縁部１１ａの内部は中空状に形成され、図示しないタンクや水道管と連結され、レバー等の操作によって上端縁部１１ａの内部に洗浄水を受け入れ、その受け入れた洗浄水を上端縁部１１ａの下部から便器本体１１の内壁に沿って排出して便器本体１１を洗浄する。
【０００５】
また、便器本体１１の内壁は、後部下方に設けられた溜め部１３に向かって傾斜するように形成され、開口面１２から便器本体１１内に受け入れた大小便やペーパをこの溜め部１３に一旦溜めて、洗浄水の流れ込む勢いを利用して、便器本体１１の下方に排出するとともに、洗浄水を便器本体１１内に一定の水位で溜めて、臭気の戻りを阻止する。
【０００６】
一方、便座１５は、便器本体１１の上端縁部１１ａに重なり合う略楕円の枠状に形成され、便器本体１１の後部側において回動自在に支持されている。便座１５の穴１６は便器本体１１の開口面１２とほぼ相似の楕円形で、その横幅は最も広い中央の位置で２０ｃｍ前後、前後方向の長さは最長部で３０ｃｍ前後である。
【０００７】
この着座式便器１０（以下、便器１０と記す）の使用形態を説明すると、男性が立ち姿勢で小便をする場合には、図１６に示すように、便器１０の前に立ち便座１５を上げて男性器を漏出させ、その先を便器本体１１の開口面１２のほぼ中央に向けて放尿する。そして放尿後に残尿を振り落として男性器を戻し、タンク等（図示せず）のレバー等を操作して便器本体１１内に洗浄水を流し、便器本体１１内の小便を洗浄水とともに排出させる。
【０００８】
また、大便をする際には、便器１０の前に立ち便座１５を倒して、便器１０に背を向け、ズボンあるいはスカートと下着を下げて、図１７のように、便座１５の上に腰掛けて排便する。そして排便後に尻をペーパで拭き取り（あるいは尻洗浄器を操作して尻を洗浄し、尻の水分をペーパで拭き取り）、下着、ズボンあるいはスカートを上げて身繕いし、再度便器１０側を向いて、レバー操作等を行い便器本体１１内に洗浄水を流し、便器本体１１内の大便やペーパを洗浄水とともに排出させる。なお、この使用形態は女性が小便をする際もほぼ同様である。
【０００９】
【発明が解決しようとする課題】
しかしながら、上記のような形状の従来の着座式便器１０では、以下のような問題があった。
【００１０】
大便をする際あるいは女性が小便する際に、便器１０の前で体の向きを２回反転させる必要があり、トイレ室内が狭い場合にこのような反転動作は面倒であり、特に脚等に障害のある者や車椅子使用者が自力で排便する場合には、その反転動作自体に大きな苦痛を伴う。
【００１１】
また、便器側に背を向けた状態で着座する際に便器自体が見えず、座る位置が確認できないので不安感を伴い、前記した脚等に障害のある者や車椅子使用者の場合には、うまく着座できないことによる危険度が増す。
【００１２】
また、付き添いの者が便器に着座する動作を補助する際には、付添者が障害者に正対し、抱きかかえるようにして便器１０に着座させるので、付添者自身も便器の位置を確認しににく、不安と危険を伴うことになる。しかも、障害者が自力でお尻の汚れを拭き取れない場合、付添者は、排便が終わった障害者を支えて体を反転させて汚れを拭き取るという作業が必要となり、両者に苦痛を与える。
【００１３】
また、男性が立ち姿勢で小便をする際、放尿位置から便器本体１１の開口面１２までの距離が長いため放尿方向を正確にしないと便器本体１１内に入らず、便器１０の外周や床を汚してしまうが、放尿の勢いは体調等によってバラツキがあるため、最初の放尿方向は放尿する者が予測している方向に対して前後方向に大きくかけ離れることが多い。
【００１４】
これに対し、従来の着座式便器１０の便器本体１１の開口面１２の形状は、前記したように、前後方向に長いほぼ楕円形で、中央部の幅は広いが、前後の幅が狭いため、立ち姿勢のときの放尿方向の前後方向に大きなばらつきがあると、横方向の僅かな向きのずれで開口面１２から外れてしまい、便器本体１２の外周や床を汚してしまう。
【００１５】
また、列車等の乗り物に備えつけられている着座式便器の場合には、乗り物の揺れも加わって放尿方向がより大きくばらついて便器やその周りを汚してしまう。
【００１６】
このために、女性が小便をする場合と同様に、便座１５を倒してその便座１５上に後ろ向きに着座した状態で小便をすることも考えられるが、女性と比べ男性の場合では、着座位置から排尿位置までの距離が男性器の長さ分だけ長くなるが、従来の便器１０では、便器本体１１の開口面１２および便座１５の穴１６の長さは、着座姿勢で成人の大便や女性の小便を受け入れるのに必要十分な長さを有していない。
【００１７】
したがって、男性器を上から押さえて無理に下方に向けて放尿しなければ小便を便器本体１１内にいれることができず、このように男性器を下方に無理に押さえると尿線が圧迫されて、自然な排尿感が得られず、押さえをやめたときに、残尿が便座上に漏れて、漏れた尿が肌に付いたり衣類を汚してしまう。この問題は、男性が排便と排尿を同時に行なう際に、排便を確実に行なう位置に着座した場合により顕著となる。
【００１８】
本発明は、これらの問題を解決して、便器やその周囲を汚すことなく快適に排便、排尿できる着座式便器を提供することを目的としている。
【００１９】
【課題を解決するための手段】
前記目的を達成するために、本発明の請求項１の着座式便器は、
腰掛け可能な高さを有し、上端縁部に囲まれた開口面から大小便を内部に受け入れて排出する便器本体と、
前記便器本体に支持され、該便器本体の上端縁部に重なり合う枠状に形成され、前記開口面を囲む上端縁部に重なり合う位置に移動可能な便座とを有する着座式便器において、
前記便器本体の前記上端縁部に囲まれた開口面を、その横幅が前端から後端までほぼ一様で前後方向に長い略長方形状に形成したことを特徴としている。
【００２０】
また、本発明の請求項２の着座式便器は、請求項１の着座式便器において、
前記便器本体の開口面の横幅が２５ｃｍ〜３５ｃｍの範囲で、前後方向の長さが４５ｃｍ〜５５ｃｍの範囲であることを特徴としている。
【００２１】
また、本発明の請求項３の着座式便器は、請求項２の着座式便器において、
前記便座の穴の横幅が２０ｃｍ〜３０ｃｍの範囲で、前後方向の長さが４０ｃｍ〜５０ｃｍの範囲であることを特徴としている。
【００２２】
【発明の実施の形態】
以下、図面に基づいて本発明の実施の形態を説明する。
図１〜図８は、本発明を適用した着座式便器２０の外観および内部構造を示している。
【００２３】
これらの図に示しているように、この着座式便器２０は、便器本体２１と便座４４とを有している。
【００２４】
便器本体２１は、ステンレス等の金属、合成樹脂あるいは陶器によって、外形が腰掛けに適した高さ（３５ｃｍ前後）を有する略直方体状で上面側が大きく開口され、内部が漏斗状に形成されていて、開口面から受け入れた大便や小便を排出する。
【００２５】
便器本体２１は、基部２２と漏斗部３０とによって形成されている。基部２２は、前板２３、側板２４、２５、後板２６とによって、上下が開口され前後方向に長い略角筒状に形成されており、漏斗部３０は基部２２の上部に固定されている。
【００２６】
漏斗部３０は、前板３１、側板３２、３３、後板３４によって基部２２とほぼ相似でより外形が大きい略角筒状に形成され、その下面側は底板３５によって閉ざされている。
【００２７】
漏斗部３０の前板３１、側板３２、３３、後板３４の上部には、内側に所定距離（５ｃｍ程度）延び、その先端から下方に所定距離延び、その先端から外側に所定距離延びて略コの状に形成された折り返し部３１ａ、３２ａ、３３ａ、３４ａが連続形成されている。
【００２８】
この略長方形状に連続した折り返し部３１ａ、３２ａ、３３ａ、３４ａは、便器本体２１の上端縁部を形成するものであり、その内側に前後方向に長い略長方形の開口面２１ａを形成している。
【００２９】
この開口面２１ａの横幅Ｗａは、人が無理なく跨ぐことができるよう２５ｃｍ〜３５ｃｍの範囲に設定され、前後方向の長さＬａは４５ｃｍ〜５５ｃｍの範囲に設定されている。
【００３０】
また、各折り返し部３１ａ、３２ａ、３３ａ、３４ａの先端は、それぞれ前板３１、両側板３２、３３、後板３４の内壁から僅かに離間して、スリット状の隙間３６を形成しており、後板３４の折り返し部３４ａの内部には連結管３７が貫通連結されている。
【００３１】
この連結管３７は図示しないタンクや水道管に連結され、タンクのレバー等によって連結管３７を介して折り返し部全体に洗浄水が注入され、その洗浄水が各折り返し部３１ａ〜３４ａの下の隙間３６から前板３１、両側板３２、３３、後板３４の内壁に沿って排出される。
【００３２】
底板３５は、前板３１、側板３２、３３、後板３４の下縁から開口面２１ａの中心部の直下位置の底部中心に向かって緩やかに低くなるように傾斜する傾斜部３５ａ〜３５ｄを有しており、底板３５の中心部には、下方に大きく陥没した溜め部３５ｅが形成されている。
【００３３】
また、底板３５には、溜め部３５ｅとほぼ同一の幅で前後に延びた溝３５ｆが前後対称に形成されている。この溝３５ｆは便器本体２１内に受け入れた大便やペーパー等の汚物を溜め部３５ｅへ案内する。
【００３４】
このように、漏斗部３０の内部形状は溜め部３５ｅを中心にしてほぼ前後対称、左右対称に形成されている。
【００３５】
溜め部３５ｅは、大便やペーパ等の汚物を一時的に溜めておく部分であり、逆Ｖ字型の排出管３８の一端側に連結されている。
【００３６】
排出管３８は、溜め部３５ｅから底板３５の傾斜板３５ｂの外壁に沿って後部側上方に所定距離延びた第１管部３８ａと、第１管部３８ａの上端から下方に延びた第２管部３８ｂとからなり、溜め部３５ｅに溜められた汚物を洗浄水が流れ込む勢いを利用して第１管部３８ａと第２管部３８ｂに通過させて、トイレの床に設けられている下水連絡管１に流し、さらに流れ込む洗浄水を第１管部３８ａと第２管部３８ｂの境界部の高さ分だけ漏斗部３０内に溜めて、下水連絡管１からの臭気を遮断している。
【００３７】
便器本体２１の漏斗部３０の後部には、上面側がほぼ平坦な便座固定部３９が設けられ、便座固定部３９の上面には、支持部４１が固定されている。
【００３８】
支持部４１は、基板４１ａと、基板４１ａの両端から互いに対向するように立設された側板４１ｂ、４１ｃと、側板４１ａ、４１ｂの間の後部側で上方に延びたストッパ４１ｄとによって構成され、便座固定部３９に対して、例えばボルトで固定されている。
【００３９】
側板４１ａ、４１ｂの前部には軸４２が横架されており、軸４２には便座支持板４３の一端側が回動自在に支持されている。
【００４０】
便座支持板４３の他端側には便座４４が固定されている。便座４４は、前板４４ａ、左板４４ｂ、右板４４ｃ、後板４４ｄによって、便器本体２１の漏斗部３０の上端縁部の全周に重なり合う略長方形枠状に形成されており、その内側の略長方形状の穴４５の横幅Ｗｂは２０ｃｍ〜３０ｃｍの範囲で、前後方向の長さＬｂは４０ｃｍ〜５０ｃｍの範囲で、便器本体２１の開口面２１ａの長さと幅より僅かずつ小さくなるように設定されている。
【００４１】
便座４４は、便器本体２１の開口面側に倒された状態で上端縁部上に載って略水平状態となり、前端側を持ち上げて後方側にやや傾くように立ち上げたとき、支持部４１のストッパ４１ｄに当接してその状態を保持する。
【００４２】
次にこの着座式便器２０（以下便器２０と記す）の利用方法について説明する。
【００４３】
男性が小便をする際には、３通りの方法が可能である。
第１の方法は、図９に示しているように、便器２０の前に立ち便座４４を上げて男性器を漏出させ、その先を便器本体２１の開口面２１ａのほぼ中央に向けて放尿する。そして放尿後に残尿を振り落として男性器を戻し、レバー等を操作して、便器本体２１内に洗浄水を流し、便器本体２１内の小便を洗浄水とともに排出させる。なお、前記したように、便器本体２１を上方からのぞくと、その開口面２１ａのほぼ中央に溜め部３５ｅが見えるので、その溜め部３５ｅに狙いをつけることで、開口面２１ａの中央を通るように放尿できる。
【００４４】
この方法は、従来と同一であるが、前記したように、この着座式便器２０の便器本体２１の開口面２１ａの形状は、横幅がほぼ一様な長方形状で、特に前部の幅が従来のものより格段に広くなっており、しかも、その長さが従来のものより１０ｃｍ程度長い。
【００４５】
このため、初期の放尿方向に前後の大きなバラツキがあっても、開口面２１ａから外れずに便器本体２１内に確実に排尿することができ、便器本体２１の外周やトイレの床を汚す心配が少なくなる。
【００４６】
また、第２の方法は、便器２０の前に立ち便座４４を倒して、そのまま前進して便器２０を跨いで、ズボンと下着を下げて、図１０のように、便座４４の上に前向きに腰掛けて排尿する。
【００４７】
そして、下着、ズボンを上げて身繕いし、後退してタンク等（図示せず）のレバー操作を行い、便器本体２１内に洗浄水を流し、便器本体２１内の小便を洗浄水とともに排出させる。
【００４８】
この第２の方法の場合は、前記したように、便器本体２１の開口面２１ａおよび便座４４の穴４５の前後方向の長さが、従来の便器に対して１０ｃｍ以上長く形成されているので、男性器を無理に押さえて下方に向けなくても、小便を便器本体２１内にいれることができ、円滑な放尿が行なえ、残尿の漏れで衣類を汚す心配がない。また、体の反転させる必要がないのでさらに容易に排尿できる。
【００４９】
また、第３の方法は、従来の大便をする際と同様であり、便器２０の前に立って便座４４を倒し、便器２０に背を向け、ズボンと下着を下げて、図１１のように便座４４の上に後ろ向きで腰掛けて排尿する。
【００５０】
そして、下着、ズボンを上げて身繕いし、再度便器２０側を向いて、タンク等（図示せず）のレバー操作を行い、便器本体２１内に洗浄水を流し、便器本体２１内の小便を洗浄水とともに排出させる。
【００５１】
この第３の方法は、体を反転させる必要があるが、前記したように、便器本体２１の開口面２１ａおよび便座４４の穴４５の前後方向の長さが、従来の便器に対して１０ｃｍ以上長く形成されているので、男性器を無理に押さえて下方に向けなくても、便器本体２１内に確実に排尿することができ、円滑な放尿が行なえ、残尿の漏れで衣類を汚す心配がない。
【００５２】
また、大便をする際には２通りの方法がある。
第１の方法は、前記したように、この便器２０の便器本体２１の開口面２１ａおよび便座４４の穴４５の前後方向の長さが、従来の便器に対して１０ｃｍ程度長く形成されていることによって可能となるものであり、便器２０の前に立ち便座４４を倒して、そのまま前進して便器２０を跨いで、ズボンあるいはスカートと下着を下げて、図１０に示したように、便座４４の上に前向きに腰掛けて排便する。
【００５３】
そして排便後に尻をペーパで拭き取り、下着、ズボンあるいはスカートを上げて身繕いし、後退してタンク等（図示せず）のレバー操作を行い、便器本体２１内に洗浄水を流し、便器本体２１内の大便やペーパを洗浄水とともに排出させる。
【００５４】
この利用方法は、体を反転させる必要がなく、幅の狭いトイレ内でも窮屈な思いをすることなく用を足すことができる。
また、便器２０を見ながら座ることができ、座る位置がよくわかり、安心して、安全に且つ容易に用を足すことができる。また、付添いの者が障害者を補助する場合、障害者をその背後側から抱きかかえて着座させることができ、両者とも便器の位置が確認できるので、不安と危険とがない状態で用を足すことができる。
【００５５】
また、この利用方法ではお尻をトイレの入り口側に向けた状態で用を足すことになり、しかも、前記したように便座４４の穴４５の長さが大きく、前後方向に余裕があるため、障害者が自力でお尻の汚れを拭き取ることができない場合でも、付添者が、障害者のお尻の汚れを、着座状態のままあるいは着座位置を前方にずらした状態で容易に拭き取ることができる。
【００５６】
また、漏斗部３０の底の中央には溝３５ｆが縦に形成されているので、大便やペーパがこの溝３５ｆに案内されて溜め部３５ｅに集合しやすく、洗浄水の注入時にこれらの汚物を円滑に排出させることができる。
【００５７】
また、第２の方法は、従来と同様の方法であり、便器２０の前に立って便座４４を倒して、便器２０に背を向け、ズボンあるいはスカートと下着を下げて、図１１に示したように便座４４の上に後ろ向きで腰掛けて排便する。
【００５８】
そして排便後に尻をペーパで拭き取り、下着、ズボンあるいはスカートを上げて身繕いし、再度便器２０側を向いて、タンク等（図示せず）のレバー操作を行い、便器本体２１内に洗浄水を流し、便器本体２１内の大便やペーパを洗浄水とともに排出させる。
【００５９】
なお、男性が着座姿勢で排便と排尿を同時に行なう場合であっても、前記したように、便器本体２１の開口面２１ａと便座４４の穴の長さが格段に長いので、その両方を快適に行なうことができる。
【００６０】
なお、上説明では、大便の際に尻をペーパーで拭き取る場合について説明したが、尻洗浄器を設けてもよい。
【００６１】
ただし、この場合には、大便の際の利用形態を前記した第１の方法か第２の方法のいずれかに限定する場合と、どらでも使用可能にする場合とがある。
【００６２】
即ち、前記した第１の方法に限定した場合には、尻洗浄器のノズル部分を便座４４の後部側に設ける必要がある。この場合、図１２のように、便座４４の前板４４ａの幅を後部へ延ばして、その下側に尻洗浄器のノズル部分５１を配置させる。
【００６３】
また、前記した第２の方法で大便を行なうように限定した場合には、尻洗浄器のノズル部分を便座４４の後部側に設ける。この場合には、図１３のように、便座４４の後板４４ｄの幅を前部へ延ばして、その下側に尻洗浄器のノズル部分５１を配置させる。
【００６４】
また、前記した第１の方法と第２の方法のいずれも利用できるようにする場合には、便座４４の前板４４ａと後板４４ｄの幅をそれぞれ延ばしてその下側に尻洗浄器のノズル部分５１を配置させる。
【００６５】
なお、上記のように便座４４の前板４４ａあるいは後板４４ｄの幅を延ばしてその下側にノズル部分５１を設ける場合、その延ばした幅の分だけ、便座４４の穴４５の長さと便器本体２１の開口面２１ａの長さを大きくする。
【００６６】
また、図示しないが、尻洗浄器のコントローラは大便の利用形態に合わせて設置すればよく、赤外線や電波等を用いた無線式リモートコントローラで操作するものも使用できる。
【００６７】
また、前記した着座式便器２０では、便座の上に載せるカバーを設けていないが、便座４４とともに開閉自在なカバーを支持部４１に支持するように構成してもよい。
【００６８】
また、前記した着座式便器２０では、溜め部３５ｅに溜めた汚物を逆Ｖ字型の排出管３８を介して排出させるサイホン型のものであったが、これは本発明を限定するものではなく、溜め部の下面側を弁で開閉する方式の着座式便器にも本発明を同様に適用できる。
【００６９】
【発明の効果】
以上説明したように、本発明の着座式便器は、便器本体の開口面を、その幅が一様で前後に連続する略長方形状にしたので、立ち姿勢で小便をする際に、初期の放尿方向に前後の大きなばらつきがあっても、開口面から外れずに便器本体内に確実に排尿することができ、便器本体の外周やトイレの床を汚す心配が少なくなる。
【００７０】
また、便器本体の開口面の横幅を２５ｃｍ〜３５ｃｍの範囲にし、前後方向の長さを４５ｃｍ〜５５ｃｍの範囲にしたものでは、従来より１０ｃｍ以上長くなるので、立ち姿勢でさらに確実な排尿をすることができる。
【００７１】
また、便座の穴の横幅を２０ｃｍ〜３０ｃｍの範囲にし、前後方向の長さを４０ｃｍ〜５０ｃｍの範囲にしたものでは、男性が着座姿勢で小便をする際にも、男性器を無理に押え付ける必要がなく、快適に排尿でき、衣類等を汚す心配がない。また、体を反転することなく排尿、排便が行なえ、トイレが狭い場合や脚等に障害がある者や車椅子使用者であっても安心して安全に且つ楽に用を足すことができる。
【図面の簡単な説明】
【図１】本発明の実施形態の斜視図
【図２】本発明の実施形態の平面図
【図３】本発明の実施形態の便座を倒した状態の平面図
【図４】本発明の実施形態の右側面図
【図５】本発明の実施形態の左側面図
【図６】本発明の実施形態の正面図
【図７】図２のＡ−Ａ線断面図
【図８】図２のＢ−Ｂ線断面図
【図９】実施形態の利用方法を説明するための側面図
【図１０】実施形態の利用方法を説明するための側面図
【図１１】実施形態の利用方法を説明するための側面図
【図１２】尻洗浄器を設けた場合の平面図
【図１３】尻洗浄器を設けた場合の平面図
【図１４】従来の着座式便器の平面図
【図１５】従来の着座式便器の側面図
【図１６】従来の着座式便器の利用方法を説明するための側面図
【図１７】従来の着座式便器の利用方法を説明するための側面図
【符号の説明】
２０……着座式便器、２１……便器本体、２１ａ……開口面、２２……基部、２３……前板、２４、２５……側板、２６……後板、３０……漏斗部、３１……前板、３２、３３……側板、３４……後板、３１ａ〜３４ａ……折り返し部、３５……底板、３５ａ〜３５ｄ……傾斜板、３５ｅ……溜め部、３５ｆ……溝、３６……隙間、３７……連結管、３８……排出管、３９……便座固定部、４１……支持部、４２……軸、４３……便座支持板、４４……便座、４５……穴、５１……ノズル部
【図１】
2004036319.tif 000003
【図２】
2004036319.tif 000004
【図３】
2004036319.tif 000005
【図４】
2004036319.tif 000006
【図５】
2004036319.tif 000007
【図６】
2004036319.tif 000008
【図７】
2004036319.tif 000009
【図８】
2004036319.tif 000010
【図９】
2004036319.tif 000011
【図１０】
2004036319.tif 000012
【図１１】
2004036319.tif 000013
【図１２】
2004036319.tif 000014
【図１３】
2004036319.tif 000015
【図１４】
2004036319.tif 000016
【図１５】
2004036319.tif 000017
【図１６】
2004036319.tif 000018
【図１７】
2004036319.tif 000019